(57)【要約】【課題】本発明は、安全且つ正確に位置決めされ、すぐに処置でき便利であるとともに、時間とコストを節減することのできる即時歯科インプラントにおける外科誘導装置及びその方法を提供する。【解決手段】主な構造は、台座と、収容スペースと、球体と、穿孔と、調整部品とからなる。上述の構造により、歯科医は、台座を患者の口腔内における欠損歯の部分に設置し、コロイドで固定しった後、ＣＴスキャンを撮影し、歯科医による診断及び評価の後、調整部品を制御して球体を収容スペースの中で移動させて、球体における穿孔の角度及び位置を変化させることができ、さらに、歯科医が球体における穿孔が形成する所定のスペースに歯科インプラント用のドリルにより穴を開けることで、異なるサイズのドリルを使用して骨におけるインプラント装着スペースを拡大させ、インプラントの埋め込み等の動作をしやすくする。【選択図】図２
2022001221.tif 000002
【特許請求の範囲】
【請求項１】
台座と、球体と、調整部品と、複数の球体位置決め部品と、少なくとも１つの台座位置決め部品と、からなる即時歯科インプラント外科誘導装置であって、
前記台座は、収容スペースを備え、
前記球体は、前記収容スペースの中に設けられるとともに、前記球体は穿孔を備え、
前記調整部品の一部は、前記穿孔の中に穿設され、
各前記球体位置決め部品は、前記台座の両側にそれぞれ設けられるとともに、前記台座の外側から前記収容スペースの中に貫通し且つ前記球体に接触し、
前記台座位置決め部品は、前記台座に設けられることを特徴とする即時歯科インプラント外科誘導装置。
【請求項２】
前記台座位置決め部品には、少なくとも１つの充填隔壁が連結されるとともに、前記充填隔壁は、前記台座の側部に位置することを特徴とする、請求項１に記載の即時歯科インプラント外科誘導装置。
【請求項３】
前記台座には、固定部品が設けられ、前記固定部品は、前記台座の一側部に設けられるとともに、前記固定部品は、前記台座の外側から前記台座内に貫通し且つ前記台座位置決め部品に接触することを特徴とする、請求項１に記載の即時歯科インプラント外科誘導装置。
【請求項４】
前記台座には、測定部品が設けられるとともに、前記測定部品の位置は、前記調整部品に対応することを特徴とする、請求項１に記載の即時歯科インプラント外科誘導装置。
【請求項５】
以下の手順からなる即時歯科インプラント外科誘導装置の使用方法であって、前記手順は、
患者の口腔内における歯科インプラントを装着したい位置に、球体が設けられた収容スペースを備えるとともに少なくとも１つの台座位置決め部品が設けられた台座を設置し、前記台座位置決め部品を隣接する歯に寄りかからせる手順（ａ）と、
前記台座位置決め部品をコロイドで簡単に固定した後、前記台座位置決め部品と隣接する歯に印象材を塗布被覆するとともに、印象材が凝固するまで待つ手順（ｂ）と、
患者の口腔部のＣＴスキャンを撮るとともに、前記球体の角度及び位置を調整する必要がないかどうか判断する手順（ｃ）と、
前記台座に設けられ且つ前記球体に接触する複数の球体位置決め部品を移動させ、各前記球体位置決め部品を前記球体から離させることで、前記球体を調整する手順（ｄ）と、
前記球体の中に一部が穿設され且つＸ線を透過させない調整部品を制御することで、前記球体を前記収容スペースの中で回転及びスライドさせ、さらに、前記球体が正確な位置に設置されるよう調整する手順（ｅ）と、
正確な位置に設置された前記球体に接触するよう各前記球体位置決め部品を再度動かすことで、前記球体を位置決めさせる手順（ｆ）と、
前記調整部品を前記球体上の穿孔の中から取り出すとともに、角度と位置が調整された前記穿孔に沿って、歯科インプラント用ドリルで患者の口腔内における歯科インプラントを装着したい場所に穴を開けることで、正確に拡張するとともにスペースを確保し、最後に、所定の位置にインプラントをスムーズ且つ安全に埋め込む手順（ｇ）と、
からなることを特徴とする、即時歯科インプラント外科誘導装置の使用方法。
【請求項６】
前記手順（ａ）の後には、手順（ａ１）が実行され、
前記手順（ａ１）は、前記台座位置決め部品を前記台座の側部に位置する少なくとも１つの充填隔壁に連結させて、前記台座をしっかりと位置決めさせる手順であることを特徴とする、請求項５に記載の即時歯科インプラント外科誘導装置の使用方法。
【請求項７】
前記手順（ａ）の後には、手順（ａ１）が実行され、
前記手順（ａ１）は、前記台座に固定部品を増設するとともに、前記固定部品を前記台座の外側から前記台座内に貫通させ、前記台座位置決め部品に接触させることで、前記台座をしっかりと位置決めさせる手順であることを特徴とする、請求項５に記載の即時歯科インプラント外科誘導装置の使用方法。
【請求項８】
前記手順（ｅ）の後には、手順（ｅ１）が実行され、
前記手順（ｅ１）は、測定部品を前記台座に設け、前記調整部品を調整することで、前記測定部品により正確な数値が取得され、それにより、前記球体を正確な位置決めされた位置にまで移動させる手順であることを特徴とする、請求項５に記載の即時歯科インプラント外科誘導装置の使用方法。
【発明の詳細な説明】
【技術分野】
【０００１】
本発明は、外科誘導装置及びその方法に関し、特に、安全且つ正確に位置決めすることができ、すぐに処置できるため便利であるとともに、時間とコストを節減することのできる即時歯科インプラントにおける外科誘導装置及びその方法に関する。
【背景技術】
【０００２】
歯科インプラント、つまり人工歯根は、義歯を装着することで欠損歯を補う歯の修復技術である。人工歯根は、インプラントとも呼ばれ、インプラントは、手術により欠損歯の位置の歯槽骨内に埋め込まれ、インプラントは、自然歯に置き換えられる歯根として使用され、被せ物を装着するための土台となる。患者の歯槽骨とインプラントの骨が完全に結合すると、インプラントに人工歯冠を装着することができる。人工歯根による義歯の装着によって、自然歯に近い咬合力が得られるだけでなく、快適さ及び審美性は、従来の取り外し可能な義歯やブリッジよりも優れており、歯科インプラント後も、口腔内を清潔に維持するとともに、定期的に歯科検診を受け、良好な状態が保たれれば、歯科インプラントは、長期にわたって使用することができるため、重要な欠損歯の修復方法となっている。
【０００３】
従来の歯科インプラントの方法は、直接切開する方法または無切開の方法によりドリルで骨に穴が開けられインプラントを埋入できるようにされた後、インプラントが固定される。しかしながら、この方法は、リスク及び危険性が隠れているため、患者に深刻な傷害を引き起こす可能性があり、さらには医療訴訟に発展する可能性もある。後に、出現したサージカルガイドを使用しＣＴスキャンを組み合わせる歯科インプラントの方法は、高い安全性という特性を示し、上述のサージカルガイドは、診断用サージカルガイドと手術用サージカルガイドに分けられる。従来において上述の方法を使用する場合、まず、患者の歯の模型を複製し、歯の模型における欠損歯の部分に、ワックス材を使用して歯が抜けている部分を埋めるための歯を彫塑する。この際、アルギン酸塩と石膏等の材料で患者の新たな歯の模型を再度複製し、患者の歯の形状に合わせるとともに欠損歯の無い歯の模型が形成され、さらに、薄いプラスチックプレートを前記欠損歯の無い歯の模型に設置し、加熱し真空状態にし、圧縮する方法により、プラスチックプレートが歯の模型の表面に貼り付くようにし、修整が完了すると、患者の欠損歯の位置に鉛片を再度貼り付けることで、ＣＴスキャンの位置決め板が完成する。よって、プラスチックプレートを患者の歯に合わせるが、この時の歯の模型の形状をしたプラスチックプレートは、透明の「矯正装置」に似たものである。
【０００４】
さらに、患者に矯正装置のような診断用サージカルガイドを着けさせるとともに、ＣＴスキャンを撮影することで、コンピュータに患者の口腔部及び標記された欠損歯の位置が表示される。さらに、診断用サージカルガイドに穴を開けるとともにＸ線を透過させない材料を入れ、ＣＴスキャンを撮影することで、所定のインプラント装着スペースに位置決めのためのマークが標記される。
【０００５】
ＣＴスキャンの撮影が完成すると、一部の歯科診療所は、ＣＴスキャンの資料と患者の歯の模型をまとめて歯科技工所に送る。歯科領域においてもデジタル化された現代では、一部の診療所に設置された口腔内スキャナーは、患者の口腔状況をあらかじめ直接スキャンすることができるとともに、ＣＴスキャンのファイルをデジタル技工に送信することで、手術用サージカルガイドをその場で製作することができる。現在の技工所では、３Ｄプリントにより手術用サージカルガイドをプリントアウトし、歯科診療所が手術用サージカルガイドを受け取ってはじめて、患者の歯科インプラント手術が開始され、前記サージカルガイドを基に、患者の口腔内における欠損歯の部分にインプラントを正確な角度及び位置に装着する。
【０００６】
しかしながら、上述の従来の歯科インプラント手術のプロセスには、以下に挙げる問題点と欠点が存在し、改善が望まれている。
【０００７】
一、技工所に委託して従来のまたはデジタル化された診断用或いは手術用サージカルガイドを製作するのにコストと時間がかかる。
【０００８】
二、ＣＴスキャン評価、ワックスアップ、印象採得、真空状態にし圧縮して矯正装置のような診断用サージカルガイドを製造するといった手術前の準備作業は、操作のプロセスが複雑且つ時間がかかることで、患者が診察を受けた後一定期間経ってからでなければ実際に手術を行うことができない。
【０００９】
三、一部の歯科医は、手間を省くため、上述の診断用及び手術用サージカルガイドを使用しようとしないため、患者の歯科インプラント手術におけるリスクが高まる。
【００１０】
四、歯科領域におけるデジタル化は世界的な傾向ではあるが、現在の歯科領域においてデジタル化された機材・設備は、高価であるとともに操作が複雑であり、コンピュータ、設備、及び、専用ソフトウェアを操作できる専門スタッフを育成する必要がある。人的資源、物的資源、または、財政面などの理由で、すべての診療所と歯科医がすぐに完全にデジタル化に対応できるわけではない。
【発明の概要】
【発明が解決しようとする課題】
【００１１】
本発明は、調整部品により収容スペースに設けられる球体を制御することで、球体の中の穿孔が正確な角度及び場所に移動できるようにするとともに、穿孔の頂端から歯肉までの空間の高さを測定することで、所定の位置まで骨に穴を開けるのに必要とされるドリルの長さを算出し、調整部品を取り除いた後、歯科医が歯科インプラント用ドリルで穿孔に沿って穴を開け、正確なインプラント装着スペースが確保されることで、スムーズにインプラントを埋め込むことができ、上述の構造は、診断用及び手術用のサージカルガイドが相互に組み合わされることで、すぐに処置できるため便利であるとともに、時間とコストを節減でき且つ手術の正確さと安全性を高めることのできる即時歯科インプラントにおける外科誘導装置及びその方法を提供することを目的とする。
【課題を解決するための手段】
【００１２】
本発明の主な構造は台座からなり、台座は収容スペースを備え、収容スペースには球体が設けられ、球体は穿孔を備え、穿孔の一部には調整部品がされ、台座の両側には複数の球体位置決め部品が設けられ、さらに、球体位置決め部品は、台座の外側から収容スペースの中まで貫通されるとともに球体に接触し、台座には、少なくとも１つの台座位置決め部品が環設される。上述の調整部品は、Ｘ線を透過させない材質であり、台座、球体、球体位置決め部品、及び、台座位置決め部品は、いずれもＸ線を透過させることができる。
【００１３】
歯科医が欠損歯を持つ患者に歯科インプラントを行う場合、まず、患者の口腔内における歯科インプラントを装着する部分に台座を設置するとともに、台座における台座位置決め部品を隣接する歯に寄りかからせ、コロイドで台座位置決め部品を簡単に固定した後、印象材を台座位置決め部品及び隣接する歯に塗布被覆し、印象材が凝固するまで待ってから、患者の口腔部のＣＴスキャンを撮るとともに、球体における穿孔の位置及び角度を調整する必要がないか判断する。
【発明の効果】
【００１４】
ＣＴスキャン評価の結果、調整が必要な場合、球体に接触する球体位置決め部品を制御することにより、球体位置決め部品を移動させて球体から離させることで、球体は制御されなくなる。従って、歯科医は、穿孔に一部穿設される調整部品を操作することで、球体の位置及び角度を調整することができ、さらに、球体における穿孔の位置及び角度を変えることができる。調整が完了すると、球体の調整部品を上述の方法により反対方向に移動させ、球体に再度接触させることにより、球体の位置を限定させる。この時、球体は調整後の正確な位置に固定されるとともに、調整部品上の目盛りにより穿孔の頂端から歯肉までの空間の高さを測定することができることで、所定の位置まで骨に穴を開けるのに必要とされるドリルの長さを算出することができる。最後に、調整部品を穿孔から取り出し、歯科医が穿孔の方向に沿って、歯科インプラント用ドリルで患者の口腔部における欠損歯の部分の歯槽骨に穴を開けることで、正確且つ精密なインプラント装着方向と深さが確保される。従って、歯の模型、診断用サージカルガイド、及び、手術用サージカルガイドを製造するコストを節減することができるだけでなく、歯科インプラントの手術前の準備作業にかかる莫大な時間も節減され、同時に、現段階では高価なデジタル化機器を購入したり、操作スタッフを養成かつ配置したりする必要もないため、さらに、安全且つ正確に位置決めされることができ、すぐに処置でき便利であるとともに、時間とコストが節減される。
【図面の簡単な説明】
【００１５】
【図１】好ましい実施例の斜視図である。
【図２】好ましい実施例の分解図である。
【図３】好ましい実施例における手順のフローチャートである。
【図４】好ましい実施例における塗布を示した図である。
【図５】好ましい実施例における取り外しを示した図（一）である。
【図６】好ましい実施例における取り外しを示した図（二）である。
【図７】好ましい実施例における角度の調整を示した図である。
【図８】好ましい実施例における前後の調整を示した図（一）である。
【図９】好ましい実施例における前後の調整を示した図（二）である。
【図１０】好ましい実施例における左右の調整を示した図である。
【図１１】好ましい実施例におけるインプラントの装着を示した図である。
【図１２】別の好ましい実施例における固定を示した図である。
【図１３】さらに別の好ましい実施例における固定を示した図である。
【図１４】さらに別の好ましい実施例における取り付けを示した図である。
【発明を実施するための形態】
【００１６】
参照する図１及び図２に示す通り、本発明は、台座１と、球体２と、調整部品３と、複数の球体位置決め部品１２と、少なくとも１つの台座位置決め部品１３と、からなる。
【００１７】
台座１は、収容スペース１１を備える。
【００１８】
球体２は、前記収容スペース１１の中に設けられるとともに、前記球体２は、穿孔２１を備える。
【００１９】
調整部品３の一部は、穿孔２１の中に穿設される。
【００２０】
各複数の球体位置決め部品１２は、台座１の両側にそれぞれ設けられるとともに、台座１の外側から収容スペース１１の中まで貫通され、さらに、球体２に接触する。
【００２１】
少なくとも１つの台座位置決め部品１３は、台座１に設けられる。
【００２２】
球体位置決め部品１２は、ねじを例とするとともに、その数は３つであり、台座１は、例として円弧状であり、調整部品３は、目盛りを備えた棒体を例とし、調整部品３は、Ｘ線を透過させない材質である。台座１、球体２、球体位置決め部品１２、及び、台座位置決め部品１３はいずれもＸ線を透過させることができ、台座位置決め部品１３は、台座１内でスライド可能な棒体を例とする。
【００２３】
参照する図１から図１１に示す通り、本発明の使用方法、及び、その手順は、以下の通りである。
【００２４】
（ａ）患者の口腔内における歯科インプラントを装着したい位置に台座を設置する。前記台座は収容スペースを備え、前記収容スペースには球体が設けられ、前記台座には少なくとも１つの台座位置決め部品が設けられる。続いて、前記台座位置決め部品を隣接する歯に寄りかからせる。
【００２５】
（ｂ）前記台座位置決め部品をコロイドで簡単に固定した後、前記台座位置決め部品と隣接する歯に印象材を塗布被覆するとともに、印象材が凝固するまで待つ。
【００２６】
（ｃ）患者の口腔部のＣＴスキャンを撮るとともに、前記球体の角度及び位置を調整する必要がないかどうか判断する。  
【００２７】
（ｄ）前記台座に設けられ且つ前記球体に接触する複数の球体位置決め部品を移動させ、各前記球体位置決め部品を前記球体から離させることで、前記球体を調整する。
【００２８】
（ｅ）前記球体の中に一部が穿設され且つＸ線を透過させない調整部品を制御することで、前記球体を前記収容スペースの中で回転及びスライドさせ、球体が正確な位置に設置されるようさらに調整する。
【００２９】
（ｆ）続いて、正確な位置に設置された前記球体に接触するよう各前記球体位置決め部品を再度動かすことで、前記球体に対する位置決め效果が達成される。
【００３０】
（ｇ）さらに、前記調整部品を前記球体上の穿孔の中から取り出すとともに、角度と位置が調整された前記穿孔に沿って、歯科インプラント用ドリルで患者の口腔内における歯科インプラントを装着したい場所に穴を開けることで、正確に拡張されるとともにスペースが確保され、最後に、所定の位置にインプラントをスムーズ且つ安全に埋め込むことができる。
【００３１】
欠損歯のある患者が歯科インプラントの手術を行いたい場合、歯科医は、まず、台座１を患者の口腔内における歯科インプラントを装着したい欠損歯の部分に設置する。この時、台座位置決め部品１３にはコロイドが塗布され、コロイドは、光硬化性樹脂を例とする。光硬化性樹脂は、特定の波長の青色光照射により硬化する複合樹脂であるため、光硬化性樹脂により台座位置決め部品１３を左右の隣接する歯に一時的且つ簡単に接着させる。台座１における台座位置決め部品１３は、欠損歯の位置の左右両側にある歯に寄りかけられ、続いて、印象材４が台座位置決め部品１３と隣接する歯に塗布される。印象材４は、パテ（ＰＵＴＴＹ）を例とするが、制限されない。印象材４が凝固すると、その内側は患者の歯の形状に適合した凹凸状に形成されることで、左右の隣接する歯にしっかりと設置されると同時に、硬化するとかなりの弾性を備えるため、左右の隣接する歯に繰り返しはめたり取り外したりすることができる。
【００３２】
さらに、歯科医は患者の口腔部のＣＴスキャンを撮るとともに、スキャン結果を分析して穿孔２１の位置及び角度を調整する必要があるかどうか評価し、調整が必要な場合、歯科医は印象材４を塗布した台座１を患者の口腔内から取り出し、台座１に設けられるとともに光硬化性樹脂により隣接する歯に一時的に接着された台座位置決め部品１３も一緒に取り外すと、球体２における穿孔２１の角度及び位置を調整する。
【００３３】
調整する際、球体２に接触する球体位置決め部品１２をまず取り外して球体２から離し、球体２が球体位置決め部品１２によって位置を制限されないようにした後、歯科医は穿孔２１に一部が穿設された調整部品３を制御し、球体２の位置と角度を調整する。調整部品３の構造により、球体２を動かして収容スペース１１の中で移動させることができる。図８及び図９では、例として、球体２を内側に１ｍｍ平行移動させるとともに、図７に示す通り、調整部品３により球体２を収容スペース１１の中で回転させることで、球体２の角度を変え、さらに、球体２における穿孔２１の角度を変えることができる。
【００３４】
球体２が調整されて位置決めされると、球体位置決め部品１２を球体２に接触する位置にまで再度移動させることで、球体２を正確な角度及び位置に固定させることができ、続いて、印象材４の材質の特性により、台座１は患者の口腔内における欠損歯のある場所に位置付け通りに設置されることができ、印象材４は凝固して患者の歯の形状に適合した状態になることで、台座１が口腔内に戻されるとすぐに台座１は完全に位置決めされることができるとともに、調整された球体２と組み合わされて、球体２における穿孔２１は、正確なインプラント装着角度及びインプラント装着位置に配置される。
【００３５】
最後に、調整部品３上の目盛りにより、穿孔２１の頂端から歯肉までの空間の高さが測定されることで、所定の位置まで骨に穴を開ける際に必要とされるドリルの長さが算出される。歯科医は、調整部品３を球体２における穿孔２１から取り出し、歯科インプラント用ドリル５により穿孔２１に沿って患者の歯槽骨に穴を開けることで、歯科インプラントの手術の第１段階であるインプラント装着スペースの位置決め作業が完了する。従って、長い時間をかけて歯の模型を繰り返し製造する必要がないとともに、高いコストをかけて技工所に診断用及び手術用のサージカルガイドの製作を委託する必要がなく、安全かつ正確に位置決めされることができ、すぐに処置できるため便利であるとともに、時間とコストが節減される。
【００３６】
参照する図１２に示す通り、台座１ａには、固定部品１４ａが設けられるとともに、固定部品１４ａは、台座１ａの外側から台座１ａ内に貫通するとともに台座位置決め部品１３ａに接触し、固定部品１４ａは、ねじを例とする。
【００３７】
本実施例の手順（ａ）の後に実行される手順（ａ１）は、以下の通りである。
【００３８】
（ａ）患者の口腔内における歯科インプラントを装着したい位置に台座を設置する。前記台座は収容スペースを備え、前記収容スペースには球体が設けられ、前記台座には少なくとも１つの台座位置決め部品が設けられる。続いて、前記台座位置決め部品を隣接する歯に寄りかからせる。
【００３９】
（ａ１）前記台座に固定部品を増設するとともに、前記固定部品を前記台座の外側から前記台座内に貫通させ、前記台座位置決め部品に接触させることで、前記台座をしっかりと位置決めさせる。
【００４０】
歯科医が患者の口腔部における欠損歯の部分に台座１ａを設置する際に、台座１ａと隣接する歯の間に比較的大きな隙間が生じている場合、上述の固定部品１４ａを台座１ａの外側から台座１ａ内に貫通させて穴を開けることができるとともに、台座位置決め部品１３ａに接触させることができる。従って、固定台座１ａと台座位置決め部品１３ａの相対位置により、台座１ａは、台座位置決め部品１３ａ上でスライドすることはないため、台座１ａが隙間で揺れるといった状況が生じるのを防ぐことができる。ＣＴスキャン撮影後の評価に基づき、前方にまたは後方に調整する必要がある場合、上述の固定部品１４ａを緩めることで、台座１ａを前方にまたは後方に調整することができ、さらに、台座１ａが好ましい位置に設置されるよう調整される。
【００４１】
参照する図１３に示す通り、台座位置決め部品１３ｂには少なくとも１つの充填隔壁６ｂが連結されるとともに、充填隔壁６ｂは台座１ｂの側部に位置し、充填隔壁６ｂの数は２つを例とするが、制限されない。
【００４２】
本実施例の手順（ａ）の後に実行される手順（ａ１）は、以下の通りである。
【００４３】
（ａ）  患者の口腔内における歯科インプラントを装着したい位置に台座を設置する。前記台座は収容スペースを備え、前記収容スペースには球体が設けられ、前記台座には少なくとも１つの台座位置決め部品が設けられる。続いて、前記台座位置決め部品を隣接する歯に寄りかからせる。
【００４４】
（ａ１）前記台座位置決め部品を前記台座の側部に位置する少なくとも１つの充填隔壁に連結させて、前記台座をしっかりと位置決めさせる。
【００４５】
充填隔壁６ｂの機能は、上述の別の好ましい実施例における固定部品とほぼ同じであり、台座１ｂを位置決めさせることができる。台座１ｂと隣接する歯の間に比較的大きな隙間が生じている場合、充填隔壁６ｂを上述の隙間の部分に取り付け、充填隔壁６ｂが台座１ｂと隣接する歯の間の隙間を埋めるようにし、台座１ｂが台座位置決め部品１３ｂ上をスライドできないようにすることで、台座１ｂが隙間で揺れ動くといった状況が防止される。ＣＴスキャン撮影後の評価に基づいて、前方にまたは後方に調整する必要がある場合、上述の充填隔壁６ｂを取り出すまたは充填隔壁６ｂを増やすことで、台座１ａを前方または後方にスライドさせて最適な位置に設置されるよう調整することができる。本実施例では、台座１ｂを固定する別の実施方法を例として挙げているに過ぎず、異なる使用状況に適用される。
【００４６】
参照する図１４に示す通り、台座位置決め部品１３ｃは、少なくとも１つの位置決めリブ１３１ｃを備え、位置決めリブ１３１ｃの数は、２つを例とするが、制限されない。台座１ｃには、測定部品７ｃがさらに設けられ、測定部品７ｃの位置は、上述の調整部品３ｃに対応し、測定部品７ｃは、分度器及び目盛りを備えるキットである。さらに、本実施例の台座１ｃは、例として長方形の形態であるが、制限されない。
【００４７】
本実施例の手順（ｅ）の後に実行される手順（ｅ１）は、以下の通りである。
【００４８】
（ｅ）前記球体の中に一部が穿設され且つＸ線を透過させない調整部品を制御することで、前記球体を前記収容スペースの中で回転及びスライドさせ、球体が正確な位置に設置されるようさらに調整する。
【００４９】
（ｅ１）測定部品を前記台座に設置し、前記調整部品を調整する際に前記測定部品により正確な数値を取得できることにより、前記球体を正確な位置決めされた位置にまで移動させる。
【００５０】
歯科医が調整部品３ｃを制御して、球体２ｃの角度及び位置を調整する際、上述の測定部品７ｃを台座１ｃに套設することで、歯科医は調整の際にさらに精確な数値を取得することができ、さらに、球体２ｃが最適な位置及び角度に設置されるよう調整されることで、上述の測定部品７ｃにより、測定を補助する効果が達成される。
【００５１】
さらに、歯科医が台座１ｃを患者の口腔部における欠損歯の位置に設置するとともに、印象材を塗布する作業を実施する際に、上述の位置決めリブ１３１ｃの構造により、本発明と印象材の接触面積、及び、本発明と歯の接触面積を増やすことができることで、歯の模型を取り外す際の安定性が高まり、実施における正確さが向上する。
【００５２】
従って、本発明の即時歯科インプラントにおける外科誘導装置及びその方法により改善される主な従来の技術は以下の通りである。
【００５３】
一、調整部品３を制御して球体２を回転させ、穿孔２１が正確な位置及び角度に設置されるよう調整されることで、インプラント装着スペースを形成する手順をすぐに実行することができるため、型取り、石膏注入、ワックスアップ、及び、印象採得の時間を省くことができると同時に、技工所に委託してサージカルガイドを二度製造するコストも省くことができ、さらに、安全かつ正確に位置決めされ、すぐに処置でき便利であるとともに、時間とコストが節減される。
【００５４】
二、固定部品１４ａの構造により台座１ａが固定されることで、台座１ａが隙間で揺れ動くのが防止されると同時に、台座１ａの細部が調整される。
【００５５】
三、充填隔壁６ｂの構造により台座１ｂが固定されることで、台座１ｂが隙間で揺れ動くのが防止されると同時に、台座１ａの細部が調整される。
【００５６】
四、位置決めリブ１３１ｃの構造により、本発明と歯の接觸面積が増えることで、実施する際の安定性及び正確さが向上する。
【００５７】
五、測定部品７ｃの構造により、調整時の精度が向上することで、歯科インプラントの全過程において一度で安全な所定の位置が取得される。
【００５８】
六、上述の通り、現在最新の歯科デジタル技術として、診療所では、口腔内スキャナー及びＣＴスキャンが使用され、デジタルファイルがデジタル歯科技工所に送信されるとともに、３Ｄプリントで手術用サージカルガイドが製造され、さらに、診療所に送られて使用されるが、送受信に時間がかかるだけでなく、現階段では口腔内スキャナーは相当高価であり、さらに、専門スタッフでなければ前記設備及びソフトウェアを操作することができない。診療所に専門の技工士を配置し、各種デジタル化された機器と設備を設置するのに必要とされる人的資源、物的資源、または、財力は、一般の歯科診療所が負担できるものではない。従って本発明と本発明の方法により、時間を節減させることができ、安全且つ便利であると同時に、デジタル歯科によって製造される手術用サージカルガイドに相同する機能を達成することができる。
【符号の説明】
【００５９】
１、１ａ、１ｂ、１ｃ  台座
１１  収容スペース
１２  球体位置決め部品
１３、１３ａ、１３ｂ、１３ｃ  台座位置決め部品
１３１ｃ  位置決めリブ
１４ａ  固定部品
２、２ｃ  球体
２１  穿孔
３、３ｃ  調整部品
４  印象材
５  歯科インプラント用ドリル
６ｂ  充填隔壁
７ｃ  測定部品
【図１】
2022001221.tif 000003
【図２】
2022001221.tif 000004
【図３】
2022001221.tif 000005
【図４】
2022001221.tif 000006
【図５】
2022001221.tif 000007
【図６】
2022001221.tif 000008
【図７】
2022001221.tif 000009
【図８】
2022001221.tif 000010
【図９】
2022001221.tif 000011
【図１０】
2022001221.tif 000012
【図１１】
2022001221.tif 000013
【図１２】
2022001221.tif 000014
【図１３】
2022001221.tif 000015
【図１４】
2022001221.tif 000016